(57)【要約】【課題】鍔部間における通気孔の近傍に配置された第１リブによって、巻き取った絶縁電線の絶縁体に傷を付けることなく変形し難い構造の巻取具を実現し、これを用いて効果的にシラン架橋処理を行う。【解決手段】シラン架橋装置は、シラン架橋処理を施す絶縁電線を巻き取り可能な巻取具を、前記絶縁電線ごと所定の温度及び湿度の雰囲気中に曝すことでシラン架橋電線を製造するシラン架橋装置であって、前記巻取具は、複数の通気孔を備えた円筒状の胴部と、前記胴部の両端側に形成された鍔部と、前記通気孔の近傍において前記胴部の周方向と交差する方向に延びる第１リブとを備え、前記第１リブは、前記絶縁電線との接触面として用いる湾曲面を有する。【選択図】図１
2017126479.tif 000002
【特許請求の範囲】
【請求項１】
シラン架橋処理を施す絶縁電線を巻き取り可能な巻取具を、前記絶縁電線ごと所定の温度及び湿度の雰囲気中に曝すことでシラン架橋電線を製造するシラン架橋装置であって、
前記巻取具は、
複数の通気孔を備えた円筒状の胴部と、
前記胴部の両端側に形成された鍔部と、
前記通気孔の近傍において前記胴部の周方向と交差する方向に延びる第１リブとを備え、
前記第１リブは、前記絶縁電線との接触面として用いる湾曲面を有する
ことを特徴とするシラン架橋装置。
【請求項２】
前記第１リブは、前記通気孔の前記周方向における両側の端部に沿って配置されている
ことを特徴とする請求項１記載のシラン架橋装置。
【請求項３】
前記第１リブは、前記通気孔の前記周方向における片側の端部に沿って配置されており、前記片側の端部は前記周方向における前記胴部の巻取回転方向の先行側に位置している
ことを特徴とする請求項１記載のシラン架橋装置。
【請求項４】
前記第１リブは、前記通気孔の開口直上位置に配置されている
ことを特徴とする請求項１記載のシラン架橋装置。
【請求項５】
前記第１リブは、両端が前記鍔部に接続されている
ことを特徴とする請求項１〜４のいずれか１項記載のシラン架橋装置。
【請求項６】
前記周方向における前記胴部の外周面上の前記第１リブ間に配置された第２リブを備える
ことを特徴とする請求項１〜５のいずれか１項記載のシラン架橋装置。
【発明の詳細な説明】
【技術分野】
【０００１】
本発明は、絶縁電線をシラン架橋処理するシラン架橋装置に関する。
【背景技術】
【０００２】
絶縁電線は、耐久性や耐熱性を向上させて電線自体の寿命を延ばすため、その絶縁体に対して架橋処理が施されることがある。種々の架橋処理方法のうち、特に安価且つ簡便な架橋処理方法として、水を触媒にしたシラン架橋処理を行うシラン架橋装置が知られている（例えば、特許文献１参照）。
【０００３】
このシラン架橋装置は、ドラムの胴部に通気孔が形成されているので、このドラムにケーブルを巻き取ってから加湿室内に設置することで、胴部内に蒸気を供給しつつ、通気孔を通してドラムに巻き取られたケーブルの内層側から外層側へ蒸気を強制的に貫流させる。
【先行技術文献】
【特許文献】
【０００４】
【特許文献１】特開平１１−２０３９６７号公報
【発明の概要】
【発明が解決しようとする課題】
【０００５】
しかしながら、上記特許文献１に開示された従来技術のシラン架橋装置では、胴部に形成された通気孔のエッジ（開口端部と開口外周縁部との境界部分）に巻き取られた絶縁電線の絶縁体が直接触れている。このため、絶縁電線と通気孔のエッジとが擦れて絶縁体が傷付く虞がある。
【０００６】
また、巻き取られた絶縁電線の内層側と外層側の架橋度の差を小さくするために、通気孔の数を増やしたり大きさを大きくすることは有効であるが、この場合は胴部の強度が著しく低下する虞がある。胴部の強度が低下すると、絶縁電線の巻き付け圧で胴部が変形したり、空荷状態の他のドラムとの接触程度で胴部が変形したりしてしまい、巻き取った絶縁電線に不均一な巻き癖がついてしまう場合がある。
【０００７】
本発明は、上述した従来技術による問題点を解消し、巻き取った絶縁電線の絶縁体に傷を付けることなく変形し難い構造を実現する巻取具を用い、効果的にシラン架橋処理を行うことができるシラン架橋装置を提供することを目的とする。
【課題を解決するための手段】
【０００８】
本発明に係るシラン架橋装置は、シラン架橋処理を施す絶縁電線を巻き取り可能な巻取具を、前記絶縁電線ごと所定の温度及び湿度の雰囲気中に曝すことでシラン架橋電線を製造するシラン架橋装置であって、前記巻取具は、複数の通気孔を備えた円筒状の胴部と、前記胴部の両端側に形成された鍔部と、前記通気孔の近傍において前記胴部の周方向と交差する方向に延びる第１リブとを備え、前記第１リブは、前記絶縁電線との接触面として用いる湾曲面を有することを特徴とする。
【０００９】
本発明の一実施形態においては、前記第１リブは、前記通気孔の前記周方向における両側の端部に沿って配置されている。
【００１０】
本発明の他の実施形態においては、前記通気孔の前記周方向における片側の端部に沿って配置されており、前記片側の端部は前記周方向における前記胴部の巻取回転方向の先行側に位置している。
【００１１】
本発明の更に他の実施形態においては、前記第１リブは、前記通気孔の開口直上位置に配置されている。
【００１２】
本発明の更に他の実施形態においては、前記第１リブは、両端が前記鍔部に接続されている。
【００１３】
本発明の更に他の実施形態においては、前記周方向における前記胴部の外周面上の前記第１リブ間に配置された第２リブを備える。
【発明の効果】
【００１４】
本発明によれば、鍔部間における通気孔の近傍に配置された第１リブによって、巻き取った絶縁電線の絶縁体に傷を付けることなく変形し難い構造の巻取具を実現し、これを用いて効果的にシラン架橋処理を行うことができる。
【図面の簡単な説明】
【００１５】
【図１】本発明の第１の実施形態に係るシラン架橋装置の全体構成を示す透過斜視図である。
【図２】同シラン架橋装置の巻取具を示す斜視図である。
【図３】図２のＡ−Ａ’線断面図である。
【図４】同巻取具の変形例を示す断面図である。
【図５】同巻取具の他の変形例を示す斜視図である。
【図６】本発明の第２の実施形態に係るシラン架橋装置の巻取具を示す断面図である。
【図７】本発明の第３の実施形態に係るシラン架橋装置の巻取具を示す断面図である。
【発明を実施するための形態】
【００１６】
以下、添付の図面を参照して、本発明の実施の形態に係るシラン架橋装置を詳細に説明する。
【００１７】
［第１の実施形態］
図１は、本発明の第１の実施形態に係るシラン架橋装置１の全体構成を示す透過斜視図である。また、図２はシラン架橋装置１の巻取具を示す斜視図、図３は図２のＡ−Ａ’線断面図である。
【００１８】
図１に示すように、シラン架橋装置１は、シラン架橋処理を施す絶縁電線９０を巻き取り可能に構成された巻取具１０を、加湿室２内にて絶縁電線９０ごと所定の温度及び湿度の雰囲気中に曝すことによって、シラン架橋電線を製造するものである。所定の温度及び湿度の雰囲気は、例えば図示しない蒸気発生装置から供給された蒸気を、加湿室２内にブロア３により送気することにより形成される。
【００１９】
シラン架橋装置１の加湿室２には、ブロア３からの蒸気を加湿室２内に直接導入する導入管４ａと、同じく蒸気を巻取具１０に直接供給する供給管４ｂと、加湿室２内の空気を外部に排気する排気管５とが設けられている。排気管５の後段には、例えばブロア（図示せず）が設けられており、加湿室２内の空気を強制的に排気することができる構造となっている。なお、加湿室２の規模や大きさ、配置される巻取具１０の数や配列等は、図示のものに限定されない。
【００２０】
シラン架橋装置１は、例えば導入管４ａから加湿室２内に導入された蒸気によって、巻取具１０に巻き取られた絶縁電線９０の外層側から内層側へ向かってシラン架橋を進行させる。これと共に、供給管４ｂから巻取具１０に供給され通気孔１４（図２及び図３参照）を介して排出された蒸気によって、巻き取られた絶縁電線９０の内層側から外層側へ向かってシラン架橋を進行させる。これにより、巻取具１０に巻き取られた絶縁電線９０の外層側と内層側とで架橋度に差が生じ難い構造を実現し、効果的にシラン架橋処理を行うことが可能である。
【００２１】
図２及び図３に示すように、シラン架橋装置１の巻取具１０は、回転軸Ｐを中心に回転して絶縁電線９０を巻き取る胴部１１と、この胴部１１の両端側にそれぞれ胴部１１よりも大径に形成された鍔部１２，１３とを備えている。胴部１１は、例えば円筒状に形成されており、鍔部１２，１３は、例えば円盤状に形成されている。これら胴部１１及び鍔部１２，１３の形状は一例であり、これに限定されるものではない。
【００２２】
図３に示すように、胴部１１の内側空間１１ｂは、鍔部１２，１３の中心孔１２ａ，１３ａと連通している。シラン架橋装置１により施されるシラン架橋処理の際には、鍔部１２，１３の中心孔１２ａ，１３ａのうち、例えばいずれか一方は供給管４ｂと接続され、いずれか他方は図示しない蓋部や栓により閉塞される。なお、中心孔１２ａ，１３ａのいずれもが供給管４ｂと接続されてもよい。
【００２３】
これら胴部１１や鍔部１２，１３は、アルミニウムやスチール等の金属やプラスチックなどにより形成されており、既存の線材巻取ドラムにより構成することもできる。また、胴部１１には、例えば回転軸Ｐの軸方向に沿って整列し、且つ胴部１１の周方向（以下、単に「周方向」と呼ぶ。）に所定間隔毎に配置された複数の通気孔１４が形成されている。
【００２４】
本実施形態においては、通気孔１４は、図３に示す断面で見て例えばそれぞれ胴部１１の周方向に沿って９０°ずつ間をあけた等間隔で、且つ回転軸Ｐの軸方向に沿って直線状に複数配列されている。なお、通気孔１４の配列態様は、上記のような９０°ずつの等間隔で、回転軸Ｐの軸方向に沿った直線状に限定されるものではない。例えば、通気孔１４は、胴部１１の周方向に沿って不等間隔で、且つ回転軸Ｐの軸方向に沿って波形状に複数配列されてもよい。これら通気孔１４を介して、供給管４ｂから胴部１１の内側空間１１ｂに導入された蒸気は、胴部１１の外周面１１ａ側に供給される。
【００２５】
また、巻取具１０は、通気孔１４の近傍において胴部１１の周方向と交差する方向に延びる、円柱棒状の第１リブとしての巻取リブ１５を備えている。巻取リブ１５は、例えば図２に示すように、鍔部１２，１３間において鍔部１２，１３同士を繋ぐように回転軸Ｐと同方向に延び、通気孔１４を塞がない状態で配置されている。第１の実施形態においては、巻取リブ１５は、胴部１１や鍔部１２，１３と同様の材料により構成されていてもよいし、例えばセラミックス等の異なる材料で構成されてもよい。
【００２６】
ここで、本実施形態における通気孔１４の近傍とは、通気孔１４の胴部１１の周方向における両側の端部上のみならず、通気孔１４の開口直上位置等も含むものである。換言すれば、通気孔１４の近傍とは、通気孔１４を塞がない位置であればいずれの位置でもよい。なお、本実施形態においては、巻取リブ１５は、通気孔１４の胴部１１の周方向における両側の端部に沿って、例えばこの周方向に通気孔１４を挟むように、通気孔１４の両側の端部上に胴部１１に対して合計８本となるようにそれぞれ配置されている。
【００２７】
また、この巻取リブ１５は、胴部１１に巻き取られる絶縁電線９０との接触面として用いる湾曲面を有している。図示の例では、巻取リブ１５は円柱棒状に形成され、円形の湾曲面を有しているが、これに限定されるものではない。湾曲面を有することにより、巻取具１０に巻き取った絶縁電線９０の絶縁体が巻取リブ１５と接することで傷付くことはない。これら巻取リブ１５は、両端が、例えばそれぞれ鍔部１２，１３の内側面１２ｂ，１３ｂに設けられた凹部（図示せず）に嵌合された上で、例えば溶接や接着等により接続されている。
【００２８】
このように構成された巻取具１０によれば、通気孔１４の胴部１１の周方向における両側の端部上に配置された巻取リブ１５によって、絶縁電線９０が巻き取り／送り出し時に通気孔１４のエッジやその近傍と接することを回避しつつ、通気孔１４の周辺の胴部１１の剛性を高めることができる。
【００２９】
また、巻取リブ１５によって胴部１１の剛性を高めることができるので、絶縁電線９０の巻き付け圧や他の巻取具との接触により胴部１１が変形することがない構造を実現している。これにより、絶縁電線９０の絶縁体を傷付けることなく、胴部１１が変形し難い巻取具１０を実現する。そして、この巻取具１０用いて、加湿室２内でシラン架橋処理を施せば、架橋度差が小さいシラン架橋処理を効果的に行ってシラン架橋電線を製造することができる。
【００３０】
［第１の実施形態の変形例］
図４は、第１の実施形態に係るシラン架橋装置１の巻取具１０の変形例を示す断面図である。図４に示すように、変形例の巻取具１０は、胴部１１の周方向における胴部１１の外周面１１ａ上の巻取リブ１５間に第２リブとしての補強リブ１６を配置した構造からなる。本例では、補強リブ１６は、巻取リブ１５と同様に、胴部１１の外周面１１上に配置されている。但し、補強リブ１６は巻取リブ１５とは異なり、通気孔１４を挟んで形成されるのではなく、一対の巻取リブ１５の間に形成されている。この補強リブ１６は、絶縁電線９０との接触面が巻取リブ１５と同様に湾曲面を有しており、その他材質や形状、特性等は巻取リブ１５と同様である。
【００３１】
このように構成された巻取具１０によれば、巻取リブ１５による通気孔１４の周辺のみならず、補強リブ１６によって更に胴部１１全体の剛性を高めることができる。これと共に、胴部１１に巻回した絶縁電線９０の巻取形状をより円形に近い形に近付けることができる。このため、巻き取った絶縁電線９０に変な巻き癖がつくことを抑えつつ、効果的にシラン架橋処理を行うことが可能となる。なお、補強リブ１６の配置態様は、上記等間隔に限定されるものではなく、不等間隔に配置されてもよい。
【００３２】
［第１の実施形態の他の変形例］
図５は、本発明の第１の実施形態に係るシラン架橋装置１の巻取具１０の他の変形例を示す斜視図である。図５に示すように、他の変形例の巻取具１０は、巻取リブ１５の両端が、それぞれ鍔部１２，１３を貫通した状態で、鍔部１２，１３の外側面１２ｃ，１３ｃ側で溶接や接着等により接続された構造からなる。その他の構成は、図２に示した巻取具１０と同様である。これにより、巻取リブ１５の端部を、それぞれ鍔部１２，１３の内側面１２ｂ，１３ｂ側で溶接等する必要がなくなるので、接続作業性を向上させることができる。なお、この他の変形例の巻取具１０についても、補強リブ１６を追加して各部の剛性の向上を図ることができる。
【００３３】
［第２の実施形態］
図６は、本発明の第２の実施形態に係るシラン架橋装置１の巻取具１０Ａを示す断面図である。なお、図６を含む以降の説明においては、第１の実施形態及びその変形例と同一の構成要素に関しては同一の符号を付しているので、以下では重複する説明は省略する。
【００３４】
図６に示すように、第２の実施形態に係る巻取具１０Ａは、巻取リブ１５が、通気孔１４の胴部１１の周方向における片側の端部に沿って配置されている。すなわち、巻取リブ１５は、周方向における胴部１１の巻取回転方向を図中矢印Ｎで示す方向とし、この巻取回転方向Ｎの通気孔１４に対する先行側をＡ、後行側をＢとした場合、各通気孔１４に対して、この巻取回転方向Ｎの先行側Ａの端部上に配置されている。このように、巻取リブ１５は、各通気孔１４の先行側Ａの端部上に配置されている。この点が、上述した第１の実施形態に係る巻取具１０では、巻取リブ１５が、通気孔１４の胴部１１の周方向における両側の端部に沿って通気孔１４を挟むように、通気孔１４の両側の端部上に配置されているのとは相違している。なお、第２の実施形態においては、巻取リブ１５が４本しか配置されていないので、巻き取られた絶縁電線９０の巻取形状は四角形状に近い形となる。
【００３５】
しかし、絶縁電線９０の各部の寸法に合わせて巻取リブ１５の径や通気孔１４のサイズを適宜設定すれば、巻取リブ１５の湾曲面と共に胴部１１の外周面１１ａを用いて四角形状をより円形に近い形にすることは可能である。また、図示は省略するが、巻取具１０Ａに対し、上述した補強リブ１６を配設するようにしてもよい。このように、第２の実施形態によれば、巻取リブ１５が周方向における通気孔１４の片側の端部にのみ配置されていても、通気孔１４のエッジ等が絶縁電線９０と接触しないサイズに各部寸法を設定すれば、上述した第１の実施形態の作用効果と同様の作用効果を奏することができる。
【００３６】
［第３の実施形態］
図７は、本発明の第３の実施形態に係るシラン架橋装置の巻取具を示す断面図である。図７に示すように、第３の実施形態に係るシラン架橋装置１の巻取具１０Ｂは、巻取リブ１５が、各通気孔１４に対して、これら通気孔１４の開口直上位置に配置されている。また、巻取リブ１５は、その直径が、通気孔１４の周方向の孔径よりも小さくなるように形成されている。これにより、胴部１１の内側空間１１ｂに供給された蒸気は、図中矢印で示すように、巻取リブ１５と通気孔１４との間の隙間から外部に排出される。この点が、巻取リブ１５が、周方向における通気孔１４の両側の端部上に配置されていた第１の実施形態に係る巻取具１０と相違している。また、この点が、巻取リブ１５が、通気孔１４に対して、巻取回転方向Ｎの先行側Ａの端部上に配置されていた第２の実施形態に係る巻取具１０Ａとも相違している。
【００３７】
このように、第３の実施形態によれば、巻取リブ１５が通気孔１４の開口直上位置に配置されていても、通気孔１４のエッジが絶縁電線９０と接触しないサイズに各部寸法を設定すれば、上述した第１及び第２の実施形態の作用効果と同様の作用効果を奏することができる。なお、図示は省略するが、巻取具１０Ｂに対し、上述した補強リブ１６を配設するようにしてもよい。
【００３８】
以上、本発明のいくつかの実施の形態を説明したが、これらの実施の形態は、例として提示したものであり、発明の範囲を限定することは意図していない。これらの新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれると共に、特許請求の範囲に記載された発明とその均等の範囲に含まれる。
【００３９】
例えば、上記の実施の形態では、巻取リブ１５や補強リブ１６は、絶縁電線９０との接触面が湾曲面となっている円柱棒状の形状とした。これら巻取リブ１５や補強リブ１６は、その他、半円棒状や楕円棒状等、湾曲面が絶縁電線９０と接するものであれば、種々の形状を採り得る。また、巻取リブ１５は、通気孔１４を塞がずそのエッジや周辺と絶縁電線９０とを接触させなければよいので、上記形状や配置態様に限定されるものではない。
【符号の説明】
【００４０】
１          シラン架橋装置
２          加湿室
３          ブロア
４ａ        導入管
４ｂ        供給管
５          排気管
１０        巻取具
１１        胴部
１１ａ      外周面
１１ｂ      内側空間
１２，１３  鍔部
１４        通気孔
１５        巻取リブ
１６        補強リブ
９０        絶縁電線
【図１】
2017126479.tif 000003
【図２】
2017126479.tif 000004
【図３】
2017126479.tif 000005
【図４】
2017126479.tif 000006
【図５】
2017126479.tif 000007
【図６】
2017126479.tif 000008
【図７】
2017126479.tif 000009